(57)【要約】【課題】第３の光を発する光源としてＬＥＤを用いる場合にも、ピントずれを改善することができるレンズ装置およびカメラシステムを提供する。【解決手段】レンズ装置であって、第３の光を発する光源と、合焦動作を行うフォーカスレンズを備える撮像光学系と、 予め定められた被写体距離に対するフォーカスレンズの合焦位置情報を、第１の光、第２の光、第３の光のそれぞれに対応させて記憶する記憶部と、カメラ本体からの要求を受信して、少なくともフォーカスレンズの現在位置情報、および第１の光もしくは第２の光に対応した合焦位置情報をカメラ本体へ送信する制御部と、を有し、制御部は、要求を受信したとき、光源が点灯中で、かつ光源と被写体との距離が許容範囲にある場合、第３の光に対応した合焦位置情報を第１の光もしくは第２の光に対応した合焦位置情報としてカメラ本体へ送信する。【選択図】図２
2018120004.tif 000002
【特許請求の範囲】
【請求項１】
互いに波長が異なる第１の光、第２の光、第３の光のそれぞれで撮像および焦点検出が可能なカメラ本体に装着可能なレンズ装置であって、
前記第３の光を発する光源と、
合焦動作を行うフォーカスレンズを備える撮像光学系と、 
予め定められた被写体距離に対する前記フォーカスレンズの合焦位置情報を、前記第１の光、第２の光、第３の光のそれぞれに対応させて記憶する記憶部と、
前記カメラ本体からの要求を受信して、少なくとも前記フォーカスレンズの現在位置情報、および前記第１の光もしくは前記第２の光に対応した前記合焦位置情報を前記カメラ本体へ送信する制御部と、
を有し、
前記制御部は、前記要求を受信したとき、前記光源が点灯中で、かつ前記光源と被写体との距離が許容範囲にある場合、前記第３の光に対応した前記合焦位置情報を前記第１の光もしくは前記第２の光に対応した前記合焦位置情報として前記カメラ本体へ送信することを特徴とするレンズ装置。
【請求項２】
前記制御部は、前記カメラ本体からの要求を受信して、前記フォーカスレンズの敏感度情報も前記カメラ本体へ送信することを特徴とする請求項１に記載のレンズ装置。
【請求項３】
前記光源は発光ダイオードであることを特徴とする請求項１または２に記載のレンズ装置。
【請求項４】
前記第１の光は太陽光、前記第２の光は補助光であることを特徴とする請求項１乃至3のいずれか1項に記載のレンズ装置。
【請求項５】
請求項１乃至４のいずれか1項に記載のレンズ装置と、前記カメラ本体と、を有するカメラシステムであって、
前記カメラ本体は、
前記レンズ装置を透過した光束を２系統に分割し、各光束により形成される２つの画像間の位相差を検出する位相差検出手段と、
前記位相差検出手段で検出された位相差と、前記制御部により前記レンズ装置から前記カメラ本体に送信された情報と、に基づいて、前記フォーカスレンズの駆動量を前記レンズ装置へ送信するカメラ制御部と、
を有することを特徴とするカメラシステム。
【発明の詳細な説明】
【技術分野】
【０００１】
本発明は、レンズ装置およびカメラシステムに関する。
【背景技術】
【０００２】
従来、撮影シーンに合わせてレンズ交換が可能な一眼レフカメラにおいて、マクロ撮影用レンズでは、等倍撮影が行えることで特徴的な写真を楽しむことができる。その一方で、焦点距離が短いマクロレンズでは、撮影距離が短くなるためにマクロレンズおよび一眼レフカメラ自身を被写体に接近させて撮影する必要がある。このため、マクロレンズ自身が被写体に対して自然光を遮ってしまうことで被写体に影を落とし、暗い写真が撮れてしまうことがあった。
【０００３】
特許文献１には、撮像光学系を構成するレンズ群の中で対物側の最先端のレンズを保持する保持枠に、環状光源としての発光ダイオード（ＬＥＤ）を配置することが記載されている。そして、マクロ撮影に切り換えたとき、一眼レフカメラで設定する各露出モードに対して、被写体の測定光量で決まるシャッタ速度が手持ち撮影限界速度ｔ０より遅い場合、ＬＥＤを自動的に点灯させて被写体を照明可能とすることが記載されている。
【先行技術文献】
【特許文献】
【０００４】
【特許文献１】特開２００７−４７１９２号公報
【発明の概要】
【発明が解決しようとする課題】
【０００５】
しかしながら、特許文献１では、光源にＬＥＤを用いて撮像するときのピントずれが考慮されていなかった。
【０００６】
本発明の目的は、光源としてＬＥＤを用いる場合にも、ピントずれを補正することができるレンズ装置およびカメラシステムを提供することにある。
【課題を解決するための手段】
【０００７】
上記目的を達成するために、本発明に係るレンズ装置は、互いに波長が異なる第１の光、第２の光、第３の光のそれぞれで撮像および焦点検出が可能なカメラ本体に装着可能なレンズ装置であって、前記第３の光を発する光源と、合焦動作を行うフォーカスレンズを備える撮像光学系と、 予め定められた被写体距離に対する前記フォーカスレンズの合焦位置情報を、前記第１の光、第２の光、第３の光のそれぞれに対応させて記憶する記憶部と、前記カメラ本体からの要求を受信して、少なくとも前記フォーカスレンズの現在位置情報、および前記第１の光もしくは前記第２の光に対応した前記合焦位置情報を前記カメラ本体へ送信する制御部と、を有し、前記制御部は、前記要求を受信したとき、前記光源が点灯中で、かつ前記光源と被写体との距離が許容範囲にある場合、前記第３の光に対応した前記合焦位置情報を前記第１の光もしくは前記第２の光に対応した前記合焦位置情報として前記カメラ本体へ送信することを特徴とする。
【０００８】
また、本発明に係るカメラシステムは上記レンズ装置を有することを特徴とする。
【発明の効果】
【０００９】
本発明によれば、第３の光を発する光源としてＬＥＤを用いる場合にも、ピントずれを改善することができるレンズ装置およびカメラシステムを提供することができる。
【図面の簡単な説明】
【００１０】
【図１】本発明の実施形態であるレンズ装置を搭載したカメラシステムにおけるカメラ本体側の動作を示すフローチャート
【図２】本発明の実施形態であるレンズ装置側の動作を示すフローチャート
【図３】本発明の実施形態であるレンズ装置およびカメラシステムのブロック図
【図４】（ａ）は通常光源および補助光源、ＬＥＤの分光波長特性を示す図、（ｂ）は撮像光学系の色収差による相対的なピント位置の変位を示した一例の図
【発明を実施するための形態】
【００１１】
以下に、本発明の好ましい実施の形態を、添付の図面に基づいて詳細に説明する。
【００１２】
《第１の実施形態》
（カメラシステム）
図３は、本発明の実施形態であるレンズ装置を搭載したカメラシステムとしてのレンズ交換式一眼レフカメラの構成を示すブロック図である。図３において、１００はカメラ本体であり、２００はカメラ本体１００に装着可能（着脱可能）なレンズ装置としての撮像光学系（交換レンズ）である。これらカメラ本体１００と交換レンズ２００とによって、カメラシステムが構成される。
【００１３】
交換レンズ２００において、２０１は第１レンズユニット、２０２はフォーカスレンズを備えたフォーカスレンズユニット、２０３は絞り機構である。これらの第１レンズユニット２０１、フォーカスレンズユニット２０２および絞り機構２０３により、撮像光学系（撮影光学系）が構成される。絞り機構２０３は、不図示の複数の絞り羽根と、該複数の絞り羽根を開閉動作させる不図示の開閉機構と、該開閉機構を駆動する絞り駆動手段２０４とを有する。また、２０９は、フォーカスレンズユニット（フォーカスレンズ）２０２の位置を検出するフォーカス位置検出手段である。
【００１４】
２１０はＬＥＤであり、交換レンズ２００の対物側（被写体側）の最先端のレンズを保持する保持枠に２灯配置され、ＬＥＤスイッチ２１１が使用者によって押されることで点灯および消灯を切り換えることができる。本実施形態では、ＬＥＤを２灯としたが、３灯以上であっても良いし、ＬＥＤ２１０の点灯および消灯の切換は、カメラ側から行われても良い。
【００１５】
２０６はレンズＣＰＵであり、後述するカメラＣＰＵ１０６と、レンズ制御部２０７およびカメラ制御部１０７を介して各種情報の送受信を行う。後に詳述するカメラ本体からの要求を受信して、少なくともフォーカスレンズの現在位置情報、および通常光・補助光に対応した合焦位置情報をカメラ本体へ送信する制御部としては、レンズＣＰＵ２０６およびレンズ制御部２０７が機能する。
【００１６】
また、レンズＣＰＵ２０６には、後に詳述するフォーカスレンズの合焦位置情報が、通常光および補助光を光源とした場合、ＬＥＤ２１０を光源とした場合のそれぞれに対応させて記憶され、レンズＣＰＵ２０６は記憶部としても機能する。
【００１７】
カメラＣＰＵ１０６には、交換レンズ２００へ要求した様々な情報要求を受け取り記憶するカメラ記憶手段が収納されている。レンズＣＰＵ２０６は、カメラＣＰＵ１０６と一体となって交換レンズ２００の動作全体の制御を司る。
【００１８】
フォーカス駆動手段２０８は、ステッピングモータや振動型モータ等により構成され、不図示のフォーカス駆動機構を介してフォーカスレンズユニット２０２を光軸方向へ移動させる。レンズＣＰＵ２０６は、フォーカス駆動手段２０８の駆動（回転方向および駆動指示値）を制御するフォーカス制御手段も兼ねている。具体的には、フォーカス駆動手段２０８に印加するフォーカス駆動指示情報の極性を変えることでフォーカス駆動手段２０８の駆動方向を制御し、フォーカス駆動指示情報のパルス数を増減させることでフォーカス駆動手段２０８の駆動を制御する。
【００１９】
これにより、フォーカスレンズユニット２０２の光軸方向の移動量を制御する。このとき、レンズＣＰＵ２０６は、フォーカスレンズ位置検出手段２０９からのフォーカス位置情報を参照する。
【００２０】
また、レンズＣＰＵ２０６は、絞り駆動手段２０４の駆動（回転方向および駆動指示値）を制御する。具体的には、絞り駆動手段２０４に印加する絞り駆動指示情報の極性を変えることで絞り駆動手段２０４の駆動方向を制御し、絞り駆動指示情報のパルス数を増減させることで絞り駆動手段２０４の駆動を制御する。これにより、絞り機構２０３における複数の絞り羽根の開閉動作量を制御する。このとき、レンズＣＰＵ２０６は、不図示の絞り位置検出手段からの絞り位置情報を参照する。
【００２１】
２０５は、静止画撮影モードと動画撮影モードとを切り換えるために使用者により操作される撮影モード切換手段である。本実施形態では、交換レンズ２００に撮影モード切替え手段２０５を設けているが、カメラ本体１００に設けてもよい。
【００２２】
被写体３００からの被写体光は、交換レンズ２００内の撮像光学系を通過してカメラ本体１００内に入射する。カメラ本体１００では、導光手段であるミラー１０１が光路から退避した状態にて、該被写体光により撮像手段１０２上に被写体像が形成される。撮像手段１０２は、ＣＣＤセンサまたはＣＭＯＳセンサ等の光電変換素子により構成され、被写体像を光電変換する。また、ミラー１０１が光路内に配置されている場合には、被写体光はミラー１０１により反射されてペンタプリズム１０３に導かれる。
【００２３】
ペンタプリズム１０３にて反射した被写体光は、ファインダ光学系１０４を通過して使用者の眼に導かれる。こうして、使用者は被写体像を視認することができる。１０５はミラー制御手段であり、ミラー１０１のアップ／ダウン動作をカメラＣＰＵ１０６からの駆動指示情報に応じて制御する。
【００２４】
１１４は測光検出手段であり、撮像手段１０２の出力信号または後述する不図示の画像処理回路で生成された映像信号から被写体輝度を算出し、これを測光情報としてカメラＣＰＵ１０６に出力する。
【００２５】
１１２は位相差検出手段であり、静止画撮影モードにおいてミラー１０１の背後に設けられた不図示のサブミラーで反射された被写体光を下方に折り曲げて、不図示の位相差検出ユニットへ導く。この位相差検出ユニットは、不図示の２次結像ミラー、２次結像レンズ、位相差検出センサ、位相差検出回路等から構成される。
【００２６】
この位相差検出ユニットでは、レンズ装置としての交換レンズ２００を透過した光束を２系統に分割し、各光束により形成される２つの画像間の位相差を検出する。より具体的には、撮像光学系を通った光束をビームスプリッタで分割し、分割した光速の光軸を互いにずらし、２つの結像レンズで焦点検出センサに結像し、２像のずれからデフォーカス量を計算する。
【００２７】
２次結像ミラーおよび２次結像レンズは、位相差検出光学系を構成し、交換レンズ２００内の撮影光学系を通過してカメラ本体１００内に入射した被写体光の２次結像面を、不図示の位相差検出ラインセンサ上に形成している。この位相差検出ユニットは、交換レンズ２００の位相差情報（焦点調節状態）を検出し、フォーカス駆動量演算手段であることのカメラＣＰＵ１０６へ出力する。
【００２８】
カメラＣＰＵ１０６は、この位相差情報を受け取り、前述のカメラ記憶手段に記憶された交換レンズ２００の情報と合わせて、カメラＣＰＵ１０６内のフォーカス駆動量演算手段によってデフォーカス量を演算する。カメラＣＰＵ１０６は、ここで演算されたデフォーカス量とフォーカスレンズユニット（フォーカスレンズ）２０２の敏感度（フォーカスレンズが単位量移動することで生じる像点の移動量）情報より、フォーカスレンズユニット２０２の駆動量を算出する。
【００２９】
カメラＣＰＵ１０６は、このフォーカスレンズユニット２０２の駆動量をカメラ制御部１０７を介してレンズ制御部２０７、レンズＣＰＵ２０６へ送信し、フォーカス駆動手段２０８を制御することでフォーカスレンズユニット２０２の合焦状態を得る。
【００３０】
また、カメラＣＰＵ１０６は、動画撮影モードにおいて、不図示の画像処理回路にて生成された映像信号から、映像のコントラスト状態を示すコントラスト情報を生成する。そして、該コントラスト情報に基づき、フォーカスレンズユニット２０２の位置を制御して合焦状態を得る。
【００３１】
さらに、カメラ本体１００に搭載された露出制御手段１０９は、測光情報に基づいて、絞り機構２０３において設定すべき絞り値や、静止画撮影モードにおいて撮像手段１０２の露光量を制御する不図示のシャッタ速度を算出する。１１５は、レリーズスイッチ手段であり、使用者により半押し操作（ＳＷ１がＯＮ）がなされることによってＳＷ１信号を出力し、全押し操作（ＳＷ２がＯＮ）がなされることによってＳＷ２信号を出力する。カメラＣＰＵ１０６は、ＳＷ１信号の入力に応じて測光および焦点検出等の静止画撮影準備動作を開始し、ＳＷ２信号の入力に応じて記録用静止画の撮影動作を開始する。
【００３２】
１１０は、動画撮影スイッチ手段であり、使用者によって操作されるごとに、動画撮影開始信号と動画撮影停止信号とを交互に出力する。カメラＣＰＵ１０６は、動画撮影開始信号の入力に応じて記録用動画の撮影動作を開始し、動画撮影停止信号の入力に応じて該撮影動作を停止する。なお、本実施形態では、動画撮影スイッチ手段１１０をレリーズスイッチ手段１１５と別体に設けているが、レリーズスイッチ手段１１５が動画撮影スイッチ手段を兼ねてもよい。
【００３３】
撮像手段１０２から出力された撮像信号に対して、不図示の画像処理回路にて増幅および様々な画像処理が行われることにより、デジタル映像信号が生成される。カメラＣＰＵ１０６は、該デジタル映像信号を用いて、記録用静止画、表示用動画および記録用動画を生成する。表示用動画は、ＬＣＤパネル等の表示素子を含む表示手段１１３にて電子ビューファインダー画像として表示される。記録用静止画および記録用動画は、記録装置１１１にて半導体メモリ等の記録媒体に記録される。１１６は、電源である。１１７は、暗所でオートフォーカスを行うための補助光である。
【００３４】
（互いに波長が異なる第１の光、第２の光、第３の光の夫々で撮像したときのピント位置の変位（ピント位置ずれ））
図４（ａ）は、第１の光、第２の光、第３の光をそれぞれ発する第１の光源（通常光源）、第２の光源（補助光源）、第３の光源（ＬＥＤ光源）の分光波長特性を示す。ＬＥＤ光源では４５０〔ｎｍ〕付近、補助光源では７００〔ｎｍ〕付近にそれぞれ相対的エネルギーピークを持ち、通常光源では長波長になるほど相対的エネルギーが強くなる。
【００３５】
図４（ｂ）は、撮像光学系における波長毎のピント位置の変位（ピントずれ）を示す。横軸は波長、縦軸はピント位置の変位曲線の底を変位０〔ｍｍ〕にフィッティングした場合のピント位置の変位を示す。図４（ｂ）より、波長に応じてピント位置の変位が変化し、４００〜９００〔ｎｍ〕の範囲を見た場合、長波長側になるほどピント位置の変位が大きくなることが分かる。
【００３６】
図４（ｂ）より、撮像系のピント位置ずれは、通常光源で０．１２〔ｍｍ〕、補助光源で０．３２〔ｍｍ〕、ＬＥＤ光源で０．０８〔ｍｍ〕となり、これは同じ位置に被写体があったとしても、結果として撮像面側でピントがずれてしまうことを意味する。
ＣＭＯＳなど撮像系の撮像素子の分光感度特性は、一般的には８００ｎｍ程度に感度ピークを持っている。一方、焦点検出系の光電変換素子である焦点検出センサは、低輝度下でも焦点検出を行う場合があり、カメラ側から近赤外（７００ｎｍ程度）のＬＥＤからの光を被写体に照射するので、撮像系よりも１００ｎｍ程度長波長領域まで感度を有している。
【００３７】
つまり、撮像系（撮像光学系及び撮像センサ）におけるピントずれに関しては、撮像光学系の色収差に起因する成分がある他、撮像センサの焦点検出センサとの分光感度特性の違いに起因する成分がある。
【００３８】
以下、図１および図２のフローチャートを用いて説明する。図１は、カメラ１００内のフローチャートを示している。図３で示したカメラ本体１００のレリーズスイッチ１１５が使用者によって半押し操作（ＳＷ１  ＯＮ）されることで、Ｓ１０１より動作を開始する。
【００３９】
Ｓ１０２では、カメラＣＰＵ１０６が、位相差検出手段１１２内の焦点検出ラインセンサの電荷蓄積を行い、結像された被写体像を読み取る。Ｓ１０３では、カメラＣＰＵ１０６が、Ｓ１０２で取得した２像のずれから公知の位相差検出方法により位相差量を得る。
【００４０】
Ｓ１０４では、カメラＣＰＵ１０６がカメラ制御部１０７およびレンズ制御部２０７を介して、レンズＣＰＵ２０６に対して、フォーカスレンズユニット２０２の現在位置情報、敏感度情報、通常光・補助光時の合焦位置情報の送信を要求する。この通信を受けて、次のステップＬＥＮＳ（図２）へ移行する。
【００４１】
ここで、上記した通常光・補助光時の合焦位置情報とは、通常光もしくは補助光を用いる場合の予め定められた被写体距離に対するフォーカスレンズの合焦位置である。
【００４２】
ステップＬＥＮＳ内のフローチャートについては、図２のフローチャートを用いて説明する。レンズＣＰＵ２０６は、Ｓ２０１（Ｓ１０４）のカメラＣＰＵ１０６からの情報要求を受けて、Ｓ２０２では現在のフォーカスレンズユニット２０２の位置が、ＬＥＤ２１０の光量が被写体光源として有効な範囲１０ｃｍ以内か否かを判別する。すなわち、ＬＥＤ２１０と被写体との距離が許容範囲にあるか否かを判別する。
【００４３】
本実施形態では、ＬＥＤ２１０の光量が被写体光源として有効な範囲を１０ｃｍ以内としたが、ＬＥＤ２１０の光量を増減させること、またはカメラ１００側のシャッタ速度の設定などにより変更しても良い。
【００４４】
Ｓ２０２の判別にて、ＬＥＤ２１０の光量が被写体光源として有効な範囲の場合にはＳ２０３へ進み、被写体光源として有効な範囲でない場合にはＳ２０４（Ｂ）へ進む。Ｓ２０３では、交換レンズ２００のＬＥＤ２１０が点灯状態（点灯中）か否かを判別し、ＬＥＤ２１０が点灯状態の場合にはＳ２０４（Ａ）へ進み、消灯状態の場合にはＳ２０４（Ｂ）へ進む。
【００４５】
Ｓ２０４（Ａ）では、レンズＣＰＵ２０６は、現在のフォーカスレンズユニット２０２の位置が、ＬＥＤ２１０の光量が被写体光源として有効な範囲１０ｃｍ以内で、かつＬＥＤ２１０が点灯状態である。これにより、交換レンズ２００は、被写体３００に接近してマクロ撮影中と認識する。
【００４６】
前述した通り、交換レンズ２００が被写体３００に接近してマクロ撮影を行っている場合、交換レンズ２００自身で自然光を遮ってしまい、被写体３００に影を落とし暗い写真が撮れてしまうことがあったが、ＬＥＤ２１０を点灯することで解消が可能となる。
【００４７】
ここで、被写体を照射する光源をＬＥＤ２１０とした場合、ピントずれ（一因として光源の分光波長特性に基づく）に対しては、以下の処理を行う。先ず、Ｓ２０４（Ａ）において、レンズＣＰＵ２０６では、ＬＥＤ２１０が有効に使用されたシーンであることが分かっているため、レンズＣＰＵ２０６に記憶してあるＬＥＤ２１０を光源とした場合のフォーカスレンズユニット２０２の合焦位置情報を読み出す。
【００４８】
このとき、カメラＣＰＵ１０６からは、通常光・補助光時の合焦位置情報の送信を要求されているが、これは、カメラＣＰＵ１０６側で、交換レンズ２００のＬＥＤ２１０が点灯または消灯状態が分からないためである。一方、レンズＣＰＵ２０６側では、ＬＥＤ２１０の点灯または消灯状態を認識することが可能であるため、ＬＥＤ点灯時のフォーカスレンズユニット２０２の合焦位置情報を通常光・補助光時のフォーカスレンズユニット２０２の合焦位置情報として上書きする。
【００４９】
この結果、Ｓ２０４（Ａ）では、フォーカスレンズユニット２０２の現在位置情報、敏感度情報、とともにＬＥＤ点灯時の被写体距離に対するフォーカスレンズユニット２０２の合焦位置情報をカメラＣＰＵ１０６へ送信する。
【００５０】
一方、Ｓ２０４（Ｂ）では、Ｓ２０２にてＬＥＤ２１０の光量が被写体光源として有効な範囲ではない、またはＳ２０３にてＬＥＤ２１０が点灯状態ではない、のどちらかの場合に進むステップである。この結果、Ｓ２０４（Ｂ）では、フォーカスレンズユニット２０２の現在位置情報、敏感度情報、とともに通常光・補助光時の被写体距離に対するフォーカスレンズユニット２０２の合焦位置情報をカメラＣＰＵ１０６へ送信する。
【００５１】
以降、再び図１におけるＬＥＮＳへ戻り、説明を続ける。Ｓ１０５では、カメラＣＰＵ１０６が、ＬＥＮＳ内のフローチャートＳ２０４（Ａ）またはＳ２０４（Ｂ）の情報をレンズＣＰＵ２０６から受け取り、カメラＣＰＵ１０６内のカメラ記憶手段で情報を記憶する。Ｓ１０６では、カメラ１００におけるオートフォーカス用の補助光１１７が点灯状態か否かを判別し、オートフォーカス用の補助光１１７が点灯状態の場合にはＳ１０７（１）へ進み、消灯状態の場合にはＳ１０７（２）へ進む。
【００５２】
Ｓ１０７（１）では、Ｓ１０５でカメラＣＰＵ１０６内のカメラ記憶手段で記憶されたＳ２０４（Ａ）またはＳ２０４（Ｂ）の情報より、補助光時のフォーカスレンズユニット２０２の合焦位置情報を読み出す。次に、カメラＣＰＵ１０６内のフォーカス駆動量演算手段によって、Ｓ１０３で得られた位相差情報と補助光時のフォーカスレンズユニット２０２の合焦位置情報よりデフォーカス量を演算する。このとき、仮にＬＥＤ２１０の光量が被写体光源として有効な範囲１０ｃｍ以内で、かつＬＥＤ２１０が点灯状態である場合には、Ｓ２０４（Ａ）の情報が使用されていることになる。
【００５３】
一方、Ｓ１０７（２）では、Ｓ１０５でカメラＣＰＵ１０６内のカメラ記憶手段で記憶されたＳ２０４（Ａ）またはＳ２０４（Ｂ）の情報より、通常光時のフォーカスレンズユニット２０２の合焦位置情報を読み出す。次に、カメラＣＰＵ１０６内のフォーカス駆動量演算手段によって、Ｓ１０３で得られた位相差情報と通常光時のフォーカスレンズユニット２０２の合焦位置情報よりデフォーカス量を演算する。このとき、仮にＬＥＤ２１０の光量が被写体光源として有効な範囲１０ｃｍ以内で、かつＬＥＤ２１０が点灯状態である場合には、Ｓ２０４（Ａ）の情報が使用されていることになる。
【００５４】
そして、Ｓ１０８でカメラＣＰＵ１０６は、フォーカス駆動量演算手段によって演算されたデフォーカス量を、カメラ記憶手段で記憶されたフォーカスレンズユニット２０２の敏感度情報を用いて、フォーカスレンズユニット２０２の駆動量に変換する。Ｓ１０９では、カメラＣＰＵ１０６からレンズＣＰＵ２０６へ、カメラ制御部１０７、レンズ制御部２０７を介して、フォーカスレンズユニット２０２の駆動量を送信し、Ｓ１１０でフォーカスレンズユニット２０２を駆動させる。
【００５５】
Ｓ１１１では、Ｓ１０７（１）またはＳ１０７（２）でカメラＣＰＵ１０６内のフォーカス駆動量演算手段によって演算されたデフォーカス量が、所望の合焦範囲内であるか否かを判別する。例えば、（１／４）Ｆδ以内（Ｆ：絞り値、δ：定数２０μｍ、Ｆ２．０の場合は１０μｍ）であれば合焦と判別してオートフォーカス動作を終了しＳ１１２へ進み、（１／４）Ｆδよりも大きければ、Ｓ１０２へ進む。
【００５６】
Ｓ１１２では、カメラ本体１００のレリーズスイッチ１１５が使用者によって全押し操作（ＳＷ２がＯＮ）であるか否かの判別を行い、ＳＷ２がＯＮの場合はＳ１１３へ進み、ＳＷ２がＯＦＦの場合はオートフォーカス処理を終了する。
【００５７】
Ｓ１１３では、カメラ本体１００の露出制御手段１０９は、測光検出手段１１４の測光値から被写体輝度ＢＶを求め、あらかじめ設定されたＩＳＯ感度ＳＶと加算して露出値ＥＶを求め、公知の方法で絞り値ＡＶおよびシャッタ速度ＴＶを算出する。尚、測光動作は、Ｓ１１２の判別前に行っても良い。Ｓ１１４では、カメラ本体１００のミラー１０１を光路から退避させると同時に、カメラＣＰＵ１０６はレンズＣＰＵ２０６に対してＳ１１３で算出した絞り値ＡＶに絞り込むように指示する。レンズＣＰＵ２０６は、カメラＣＰＵ１０６から指示を受け、絞り駆動手段２０４により絞り機構２０３を動作させる。
【００５８】
Ｓ１１５では、不図示のシャッタを開放および閉じ動作させ、露出を行う。Ｓ１１６では、カメラ本体１００のミラー１０１を光路内に配置（ミラーダウン）させ、撮影を終了する。
【００５９】
上記の通り、本発明の実施形態によれば、撮像レンズにおける対物側の最先端にＬＥＤ光源を搭載した場合にも、ＬＥＤ光源に見合った合焦動作が行えるようになる。これにより、ＬＥＤを光源とした場合のオートフォーカス時のピント精度を改善することができる。
【００６０】
（変形例）
以上、本発明の好ましい実施形態について説明したが、本発明はこれらの実施形態に限定されず、その要旨の範囲内で種々の変形及び変更が可能である。
【００６１】
（変形例１）
上述した実施形態では、カメラ本体からの要求を受信して、フォーカスレンズの敏感度情報もカメラ本体へ送信したが、フォーカスレンズの敏感度情報をカメラ本体からの要求に応じてでなく自発的にカメラ本体に送信しても良い。あるいは、フォーカスレンズの敏感度情報をカメラ本体に予め記憶させておくこともできる。
【００６２】
（変形例２）
上述した、第１の光としての通常光については、カメラ本体に備わる通常光源から発する光の他、太陽光であっても良い。また、第２の光としての補助光については、カメラ本体に備わる補助光源としてオレンジ色の光源やストロボ光源からの光が適用できる。また、第３の光はＬＥＤ光に限られるものではない。
【符号の説明】
【００６３】
２０２・・フォーカスレンズユニット（フォーカスレンズ）、２０６・・レンズＣＰＵ、２０７・・レンズ制御部、２１０・・ＬＥＤ
【図１】
2018120004.tif 000003
【図２】
2018120004.tif 000004
【図３】
2018120004.tif 000005
【図４】
2018120004.tif 000006